(57)【要約】      （修正有）【課題】調理室に設置されるトレーがより多様な形態に駆動されるようにし、トレー上の食べ物をより均一に調理可能にした電子レンジを提供する。【解決手段】本体１０と、該本体の内部に備えられ、本体の内部空間を、調理室２０を形成する内側空間と電装室３０を形成する外側空間とに区画する内部ケース４０と、電装室に設置され、調理室内部に高周波を放射するマグネトロン３１と、調理室内部の底に設置されるトレー２１と、トレーが、回転運動だけをする第１モード、直線往復運動だけをする第２モード、及び回転運動と同時に直線往復運動をする第３モードの中で選択された一モードにおいて駆動されるようにする駆動装置とを備える。【選択図】図２
2006003065.tif 000002
【特許請求の範囲】
【請求項１】
本体と、
前記本体の内部に備えられ、本体の内部空間を、調理室を形成する内側空間と電装室を形成する外側空間とに区画する内部ケースと、
前記電装室に設置され、前記調理室内部に高周波を放射するマグネトロンと、
前記調理室内部の底に設置されるトレーと、
前記トレーが、回転運動だけをする第１モード、直線往復運動だけをする第２モード、及び回転運動と同時に直線往復運動をする第３モードの中で選択された一モードにおいて駆動されるようにする駆動装置とを備えることを特徴とする電子レンジ。
【請求項２】
前記駆動装置は、
前記トレーを回転運動させるように前記トレーに結合された回転軸を有する移動モーターと、
固定モーターと、
前記固定モーターを前記回転モーターに連結し、前記固定モーターのの回転力を直線往復運動に変え、該直線往復運動を前記移動モーターに伝達して前記移動モーター及びトレーを直線往復運動させるリンク部材と、
前記移動モーター及び固定モーターの動作を制御する制御部とを備えることを特徴とする請求項１に記載の電子レンジ。
【請求項３】
前記制御部は、前記移動モーター及び固定モーターの駆動をそれぞれ独立して制御することを特徴とする請求項２に記載の電子レンジ。
【請求項４】
前記制御部は、前記移動モーターと固定モーターの回転速度をそれぞれ独立して制御することを特徴とする請求項２に記載の電子レンジ。
【請求項５】
前記移動モーターと固定モーターは前記調理室外部に設置され、
前記駆動装置は、
前記調理室底側の内部ケースに前記トレーの直線往復運動方向に沿って形成され、前記移動モーターの回転軸が通過する長穴形態の案内穴と、
前記移動モーター上に装着され、前記固定モーターの駆動時に、前記案内穴の長手方向に沿ってスライディングするスライディング部材と、
前記スライディング部材をスライディング自在に支持するように、前記調理室底側の前記内部ケース外面に結合される支持部材とをさらに備えることを特徴とする請求項２に記載の電子レンジ。
【請求項６】
前記駆動装置は、前記案内穴を通じて伝達された高周波が前記スライディング部材外へ漏れ出るのを防止するよう、前記スライディング部材の外周に配置されたチョーク部をさらに備えることを特徴とする請求項５に記載の電子レンジ。
【請求項７】
前記チョーク部は、前記スライディング部材の外周に沿って上部が開放された複数のチョーク溝からなることを特徴とする請求項６に記載の電子レンジ。
【請求項８】
前記スライディング部材は、前記案内穴が前記チョーク部を逸脱しない範囲内でスライディングするように設けられたことを特徴とする請求項６に記載の電子レンジ。
【請求項９】
前記移動モーターは、前記スライディング部材の下部に結合され、前記スライディング部材には、前記移動モーターの回転軸が前記スライディング部材の上部に延在するように貫通穴が形成されたことを特徴とする請求項６に記載の電子レンジ。
【請求項１０】
前記支持部材は、
前記案内穴側の内部ケース外面と前記スライディング部材との間に配置され、前記内部ケース外面に結合される結合部と、
前記スライディング部材をスライディング自在に支持するように、前記結合部の両端部側に設けられるレール部と、を備え、
前記結合部には、前記移動モーターの回転軸が前記案内穴を通じて調理室内部に延在するように、前記案内穴と対応する連通穴が形成されることを特徴とする請求項５に記載の電子レンジ。
【請求項１１】
前記内部ケースと前記結合部との間に高周波が漏れ出るのを防止するように、前記結合部は、前記内部ケース外面に溶接され、
前記駆動部材は、前記案内穴を通じて伝達された高周波が前記スライディング部材の外部へ漏れ出るのを防ぐように前記スライディング部材の外周に配置されたチョーク部をさらに備えることを特徴とする請求項１０に記載の電子レンジ。
【請求項１２】
前記スライディング部材は、前記連通穴が前記チョーク部を逸脱しない範囲内でスライディングするように設けられ、
前記結合部は、前記スライディング部材が前記結合部を逸脱しないように、前記スライディング部材よりも長い長さを有することを特徴とする請求項１１に記載の電子レンジ。
【請求項１３】
前記移動モーターは、前記スライディング部材の下部に結合され、
前記スライディング部材には、前記移動モーターの回転軸が前記連通穴と案内穴を通じて前記調理室内部に延在するように貫通穴が形成されたことを特徴とする請求項１１に記載の電子レンジ。
【請求項１４】
前記リンク部材は、前記スライディング部材の一側にスイング自在に連結される第一端部と、第２端部とを有する第１リンクと、前記第１リンクの第２端部にスイング自在に連結される第１端部と、前記固定モーターの回転軸に固定され、前記固定モーターの回転軸と共に回転する第２端部とを有する第２リンクとを備えることを特徴とする請求項５に記載の電子レンジ。
【請求項１５】
前記スライディング部材の一側に結合される第１端部と、前記固定モーター側に延在し、前記第１リンクにスイング自在に連結される第２端部とを有するリンク連結部をさらに備えることを特徴とする請求項１４に記載の電子レンジ。
【請求項１６】
調理室と、
前記調理室内部に設置されるトレーと、
前記トレーが、回転運動だけをする第１モード、直線往復運動だけをする第２モード、及び回転運動と同時に直線往復運動をする第３モードの中でいずれか一モードにおいて駆動されるようにする駆動装置とを備え、
前記駆動装置は、前記トレーを回転運動させるように前記トレーに結合された回転軸を有する移動モーターと、
前記移動モーター及びトレーが直線往復運動するように駆動力を提供し、前記移動モーターの一側に連結される固定モーターとを備えることを特徴とする電子レンジ。
【発明の詳細な説明】
【技術分野】
【０００１】
本発明は、電子レンジに関し、より詳細には、食べ物が置かれるように調理室の底に設置されるトレーを回転及び直線往復運動させ、食べ物がより均一に調理されるようにした電子レンジに関する。
【背景技術】
【０００２】
一般に、電子レンジは、マグネトロンから発生する高周波を調理室の内部へ放射して食べ物中の水分の分子配列を反復変換させ、この時に発生する分子間の摩擦熱により食べ物が調理されるようにする機構である。
【０００３】
かかる電子レンジは、外観をなす本体を備え、本体の内部空間は、直六面体状の内部ケースにより内部ケース内側の調理室と内部ケース外側の電装室とに区画される。
【０００４】
調理室内部の底には、調理する食べ物が置かれた状態で回転するトレーが設けられ、該トレーは、調理室底の下部に設置されたモーターによって回転する。また電装室には、高周波を発振させて調理室内へ放射するマグネトロンと、マグネトロンに高電圧を印加する高圧トランス及び高圧コンデンサーなどが設置される。
【０００５】
このような構造を有する電子レンジを作動させると、マグネトロンから生成された高周波が調理室内部へ放射され、この高周波が、トレーと共に回転する食べ物に照射されつつ食べ物が調理される。
【０００６】
しかしながら、この種の従来の電子レンジは、トレーが調理室の底上の所定位置の固定された点に対して回転運動だけするため、食べ物を均一に調理するには限界があった。
【０００７】
上記問題点を解決すべく、本出願人は、下記の特許文献１で、トレーを回転及び直線往復運動させ、トレー上の食べ物がより均一に調理されるようにする電子レンジを開示した。
【０００８】
この電子レンジは、調理室の底に形成された長穴タイプの貫通穴と、貫通穴を通じて調理室外部に延在するようにトレーの下部に設けられ、外面にピニオンが形成されたシャフトと、ピニオンと噛み合うようにラックが形成され、調理室の下部に固定されるガイド部材と、シャフトの一端にスイング自在に連結される第１端部と、第２端部とを有する第１リンクと、第１リンクの第２端部にスイング自在に連結される第１端部と、調理室の下部に設置されたモーターの回転軸に固定される第２端部とを有する第２リンクと、を備える。
【０００９】
このような構成により、モーターの回転軸と共に第２リンクが一方向に回転すると、ピニオンがラックに沿って正方向または逆方向に回転しながら、第１リンクがモーター側に引き付けられたり反対側に押し付けられたりし、これにより、シャフトは貫通穴内で回転及び直線往復運動をする。この結果、トレーは、シャフトと共に調理室の底上で回転すると同時に直線往復運動し、このようなトレーの移動によって、トレー上の食べ物はより均一に調理されるようになる。
【００１０】
しかしながら、トレーが回転及び直線往復運動するように構成された特許文献１の電子レンジでは、一つのモーターによってトレーが駆動されるため、トレーの回転運動と直線往復運動が常に同時に遂行されることになる。その結果、トレー上の食べ物の体積が大きくてトレーが回転し難くなると、トレーの直線往復運動もまた不可能になり、一方、トレー上部以外の調理室の底にも食べ物が置かれ、一度に多量の食べ物を調理する場合には、トレーが直線往復運動し難くなり、かつ、トレーの回転運動も不可能になる。したがって、このような場合には、調理物が電子レンジ内で均一に調理されないという問題点があった。
【特許文献１】大韓民国登録特許公報１０−０４２３９９３
【発明の開示】
【発明が解決しようとする課題】
【００１１】
本発明の目的は、上記事情に鑑みて、調理室に設置されるトレーをより様々な形態で駆動させ、トレー上の食べ物がより均一に調理されるようにする電子レンジを提供することにある。
【課題を解決するための手段】
【００１２】
上記目的を達成するために、本発明の一側面による電子レンジは、本体と、前記本体の内部に備えられ、本体の内部空間を、調理室を形成する内側空間と電装室を形成する外側空間とに区画する内部ケースと、前記電装室に設置され、前記調理室内部に高周波を放射するマグネトロンと、前記調理室内部の底に設置されるトレーと、前記トレーが、回転運動だけをする第１モード、直線往復運動だけをする第２モード、及び回転運動と同時に直線往復運動をする第３モードの中で選択された一モードにおいて駆動されるようにする駆動装置と、を備えることを特徴とする。
【００１３】
前記駆動装置は、前記トレーを回転運動させるように前記トレーに結合された回転軸を有する移動モーターと、固定モーターと、前記固定モーターを前記回転モーターに連結し、前記固定モーターのの回転力を直線往復運動に変え、該直線往復運動を前記移動モーターに伝達して前記移動モーター及びトレーを直線往復運動させるリンク部材と、前記移動モーター及び固定モーターの動作を制御する制御部と、を備えることを特徴とする。
【００１４】
前記制御部は、前記移動モーター及び固定モーターの駆動をそれぞれ独立して制御することを特徴とする。
【００１５】
また、前記制御部は、前記移動モーターと固定モーターの回転速度をそれぞれ独立して制御することを特徴とする。
【００１６】
前記移動モーターと固定モーターは前記調理室外部に設置され、前記駆動装置は、前記調理室底側の内部ケースに前記トレーの直線往復運動方向に沿って形成され、前記移動モーターの回転軸が通過する長穴形態の案内穴と、前記移動モーター上に装着され、前記固定モーターの駆動時に、前記案内穴の長手方向に沿ってスライディングするスライディング部材と、前記スライディング部材をスライディング自在に支持するように、前記調理室底側の前記内部ケース外面に結合される支持部材と、をさらに備えることを特徴とする。
【００１７】
また、前記駆動装置は、前記案内穴を通じて伝達された高周波が前記スライディング部材外へ漏れ出るのを防止するよう、前記スライディング部材の外周に配置されたチョーク部をさらに備えることを特徴とする。
【００１８】
前記チョーク部は、前記スライディング部材の外周に沿って上部が開放された複数のチョーク溝からなることを特徴とする。
【００１９】
また、前記スライディング部材は、前記案内穴が前記チョーク部を逸脱しない範囲内でスライディングするように設けられたことを特徴とする。
【００２０】
また、前記移動モーターは、前記スライディング部材の下部に結合され、前記スライディング部材には、前記移動モーターの回転軸が前記スライディング部材の上部に延在するように貫通穴が形成されたことを特徴とする。
【００２１】
また、前記支持部材は、前記案内穴側の内部ケース外面と前記スライディング部材との間に配置され、前記内部ケース外面に結合される結合部と、前記スライディング部材をスライディング自在に支持するように、前記結合部の両端部側に設けられるレール部と、を備え、前記結合部には、前記移動モーターの回転軸が前記案内穴を通じて調理室内部に延在するように、前記案内穴と対応する連通穴が形成されることを特徴とする。
【００２２】
また、前記内部ケースと前記結合部との間に高周波が漏れ出るのを防止するように、前記結合部は、前記内部ケース外面に溶接され、前記駆動部材は、前記案内穴を通じて伝達された高周波が前記スライディング部材の外部へ漏れ出るのを防ぐように前記スライディング部材の外周に配置されたチョーク部をさらに備えることを特徴とする。
【００２３】
また、前記スライディング部材は、前記連通穴が前記チョーク部を逸脱しない範囲内でスライディングするように設けられ、前記結合部は、前記スライディング部材が前記結合部を逸脱しないように、前記スライディング部材よりも長い長さを有することを特徴とする。
【００２４】
また、前記移動モーターは、前記スライディング部材の下部に結合され、前記スライディング部材には、前記移動モーターの回転軸が前記連通穴と案内穴を通じて前記調理室内部に延在するように貫通穴が形成されたことを特徴とする。
【００２５】
また、前記リンク部材は、前記スライディング部材の一側にスイング自在に連結される第一端部と、第２端部とを有する第１リンクと、前記第１リンクの第２端部にスイング自在に連結される第１端部と、前記固定モーターの回転軸に固定され、前記固定モーターの回転軸と共に回転する第２端部とを有する第２リンクとを備えることを特徴とする。
【００２６】
また、前記電子レンジは、前記スライディング部材の一側に結合される第１端部と、前記固定モーター側に延在し、前記第１リンクにスイング自在に連結される第２端部とを有するリンク連結部をさらに備えることを特徴とする。
【００２７】
本発明の他の側面による電子レンジは、調理室と、前記調理室内部に設置されるトレーと、前記トレーが、回転運動だけをする第１モード、直線往復運動だけをする第２モード、及び回転運動と同時に直線往復運動をする第３モードの中でいずれか一モードにおいて駆動されるようにする駆動装置とを備え、前記駆動装置は、前記トレーを回転運動させるように前記トレーに結合された回転軸を有する移動モーターと、前記移動モーター及びトレーが直線往復運動するように駆動力を提供し、前記移動モーターの一側に連結される固定モーターとを備えることを特徴とする。
【発明の効果】
【００２８】
本発明による電子レンジは、トレーが、回転運動だけをする第１モード、直線往復運動だけをする第２モード、及び回転運動と同時に直線往復運動をする第３モードのいずれか一モードにおいて駆動されるようにする駆動装置により、トレーがより様々な形態で駆動されるため、トレー上に置かれた食べ物をより均一に調理することが可能になる。
【発明を実施するための最良の形態】
【００２９】
以下、本発明による好ましい実施形態を、添付図面に基づき詳細に説明する。
【００３０】
本発明による電子レンジは、図１及び図２に示すように、外形をなす本体１０を備え、この本体１０は、それぞれ前面と後面を形成する前面板１１及び後面板１２と、底面を形成する底板１３と、両側面及び上面を形成するカバー１４とを備える。
【００３１】
本体１０の内部は、前面が開放された直六面体状の内部ケース４０が設置され、これにより、調理室２０を形成する内側空間と電装室３０を形成する外側空間とに区画される。本体１０の前面板１１には、調理室２０を開閉するためにヒンジ結合されるドア１１ａと、電子レンジの全般的な操作のための複数個の操作ボタンが設けられた操作パネル１１ｂが備えられる。
【００３２】
調理室２０右側の電装室３０には、調理室２０の内部に供給される高周波を生成するマグネトロン３１と、マグネトロン３１に高電圧を印加する高圧トランス３２及び高圧コンデンサー３３と、電装室３０内部の各部品を冷却させる冷却ファン３４等が設置され、調理室２０の内部には、調理する食べ物が置かれるように調理室２０の底に設置されるトレー２１と、マグネトロン３１から放射される高周波を調理室２０の内部に案内する導波管２２などが備えられる。
【００３３】
このような構造を有する電子レンジを、トレー２１上に食べ物を置いた状態で駆動させ、調理室２０内部へ高周波を放射すると、調理室２０内部へ放射された高周波により食べ物中の水分の分子配列が反復変換しつつ発生する分子間の摩擦熱により、調理室２０の食べ物が調理される。
【００３４】
また、本発明による電子レンジは、トレー２１が、回転運動だけをする第１モードと、直線往復運動だけをする第２モードと、回転運動と同時に直線往復運動をする第３モードの中でいずれか一モードにおいて駆動されるようにする駆動装置をさらに備える。
【００３５】
該駆動装置の構成は、トレー２１の回転運動または直線往復運動が不可能な場合に、トレー２１の回転運動及び直線往復運動の同時駆動を可能にするだけでなく、トレー２１の回転運動及び直線往復運動のいずれかでも可能にし、トレー２１がより様々な方向に駆動されるようにする。この結果、トレー２１に置かれた食べ物は、調理室２０内部へ放射される高周波によってより均一に調理されることになる。
【００３６】
このような機能を担う駆動装置は、図３ないし図５に示すように、トレー２１を回転運動させるようにトレー２１の下面中央にその回転軸５１が結合された状態で、トレー２１と共に直線往復運動できるように設けられた移動モーター５０と、移動モーター５０の一側に連結される固定モーター６０と、固定モーター６０の回転力を直線往復運動に変えて移動モーター５０に伝達し、移動モーター５０が直線往復運動するようにするリンク部材７０と、移動モーター５０と固定モーター６０の動作を制御する制御部８０とを備えてなる。
【００３７】
移動モーター５０は、調理室２０の底下側の内部ケース４０の外面に設置され、この調理室２０底側の内部ケース４０にはトレー２１の直線往復運動方向に沿って長穴形態の案内穴４１が穿設され、案内穴４１を通過して移動モーター５０の回転軸５１はトレー２１の下面中央に結合される。
【００３８】
また、駆動装置は、移動モーター５０上に設置され、案内穴４１の長手方向に沿って左右スライディング可能に設けられたスライディング部材９０と、このスライディング部材９０をスライディング可能に支持するように内部ケース４０の外面に結合される支持部材１００とをさらに備える。支持部材１００は、内部ケース４０の外面に結合される結合部１０１と、スライディング部材９０をスライディング可能に支持するように結合部１０１の両端部側に設けられるレール部１０２とを備える。
【００３９】
ここで、結合部１０１は、案内穴４１を有する調理室２０底側の内部ケース４０の外面とスライディング部材９０との間に配置され、案内穴４１を覆うように内部ケース４０の外面に結合される。レール部１０２は、結合部１０１の前後方側の各端部から下側に折り曲げ延長され、引き続き内側に折り曲げ延長される形となる。結合部１０１の中央には案内穴４１と対応する連通穴１０１ａが穿設され、該連通穴と案内穴４１を通じて、スライディング部材９０に装着される移動モーター５０の回転軸５１が調理室２０の内部に延在するようになる。
【００４０】
また、調理室２０の内部へ放射される高周波は、内部ケースに形成された案内穴４１を通じて漏れ出る恐れがあり、このような高周波の漏洩を遮断するための構造が支持部材１００及びスライディング部材９０に形成される。まず、支持部材１００の結合部１０１は、内部ケース４０の外面に溶接され、案内穴４１を通じて調理室２０外へ放出される高周波が、内部ケース４０と結合部１０１との間を通じて漏れ出ることを防止する。また、スライディング部材９０の外周には、案内穴４１と連通穴１０１ａを通じて支持部材１００の結合部１０１とスライディング部材９０との間に伝達される高周波が、スライディング部材９０の外部に漏れ出ることを防止するチョーク部９１が設けられる。
【００４１】
このチョーク部９１は、調理室内部の高周波が電子レンジのドアを通じて外部へ漏れ出るのを防止するように、一般の電子レンジのドア後方側に通常的に備えられるチョーク構造を適用したもので、スライディング部材９０の外周に沿って上部が開放されるように設けられた複数のチョーク溝９２で構成される。
【００４２】
また、スライディング部材９０のスライディング動作により、連通穴１０１ａがチョーク部９１を逸脱したり、チョーク部９１が支持部材１００の結合部１０１を逸脱すると、スライディング部材９０外へ高周波が漏れ出ることがある。したがって、スライディング部材９０は、連通穴１０１ａがチョーク部９１を逸脱しない範囲内でスライディングするようにし、結合部１０１の左右長さは、スライディングするスライディング部材９０が結合部１０１を逸脱しないようにスライディング部材９０の左右長さよりも長く形成する。このようにスライディング部材９０に備えられたチョーク部９１により、調理室２０の内部へ放射された高周波がスライディング部材９０外へ漏れ出ることが防止される。
【００４３】
また、移動モーター５０がスライディング部材９０に結合されるように、移動モーター５０の上部にはスライディング部材９０の下面に溶接される溶接部５２が形成される。したがって、移動モーター５０の溶接部５２がスライディング部材９０の下面に溶接されることで、移動モーター５０がスライディング部材９０に結合される。これは、移動モーター５０がスライディング部材９０の上部に結合される場合には、支持部材１００とスライディング部材９０との間に伝達される高周波により移動モーター５０が破損することがあるためである。また、スライディング部材９０の中央には、移動モーター５０の回転軸５１が支持部材１００の連通穴１０１ａと内部ケース４０の案内穴４１を通じて調理室２０内部に延在するように貫通穴９３が形成される。
【００４４】
一方、支持部材１００の結合部１０１を省いたり上記と異なる形状にし、スライディング部材９０が案内穴４１側の内部ケース４０を直接支持した状態でスライディングする場合にも、案内穴４１がスライディング部材９０のチョーク部９１を逸脱しない範囲内でスライディング部材９０がスライディングする構成にすると、案内穴４１を通じて内部ケース４０とスライディング部材９０との間に伝達された高周波は、前記チョーク部９１によりスライディング部材９０の外部へ漏れ出ることが防止される。
【００４５】
また、移動モーター５０を直線往復運動させるように駆動力を提供する固定モーター６０は、スライディング部材９０と所定間隔離れて調理室２０右側の内部ケース４０外面と本体１０との間に設けられ、高圧トランス３２及び高圧コンデンサー３３を支持するように内部ケース４０の底から水平に延在する少なくとも一枚の支持板３５に設置される。この固定モーター６０は、その回転軸６１が電子レンジの底に向かう方向にスクリューまたは他の方法で支持板３５に固定される。この固定モーター６０の回転軸６１と移動モーター５０の設置されたスライディング部材９０との間にはリンク部材７０が備えられる。
【００４６】
リンク部材７０は、第１リンク７１と第２リンク７２とから構成される。第１リンク７１は、スライディング部材９０の一側にスイング自在に連結される第１端部を有する。第２リンク７２は、第１リンク７１の第２端部にスイング自在に連結される第１端部と、固定モーター６０の回転軸６１に固定され、固定モーター６０の回転軸６１と共に回転する第２端部とを有する。また、スライディング部材９０は、第１リンク７１の一端がスイング自在に連結されるように、チョーク部９１の右側から固定モーター６０側に延在するリンク連結部９４を有する。未説明符号７３は、第１及び第２リンクを連結し、また、第１リンク７１及びリンク連結部９４を連結するための連結ピンである。
【００４７】
したがって、このような駆動装置を備える電子レンジは、移動モーター５０の駆動により移動モーター５０の回転軸５１が回転すると、移動モーター５０の回転軸５１に結合されたトレー２１が回転運動し、また、固定モーター６０の駆動により固定モーター６０の回転軸６１が回転すると、固定モーター６０の回転軸６１に結合された第２リンク７２が回転し、第１リンク７１を介して第２リンク７２に連結されたスライディング部材９０が左右にスライディングしつつ移動モーター５０をスライディングさせ、これにより、結合されたトレー２１が案内穴４１の長手方向に沿って左右に直線往復運動するようになる。
【００４８】
そして、移動モーター５０及び固定モーター６０の動作を制御する制御部８０は、移動モーター５０と固定モーター６０の駆動をそれぞれ個別制御することができる。すなわち、移動モーター５０及び固定モーター６０の駆動が制御部８０により個別的に制御されるため、トレー２１は、回転運動だけをする第１モードと、直線往復運動だけをする第２モードと、回転運動と同時に直線往復運動をする第３モードのうちいずれかのモードにおいて駆動可能である。
【００４９】
特に、制御部８０の制御によって移動モーター５０が停止した状態で固定モーター６０だけを駆動すると、トレー２１は直線往復運動せず元の位置で回転だけをする第１モードにおいて駆動され、逆に、固定モーター６０が停止した状態で移動モーター５０だけを駆動すると、移動モーター５０の回転軸５１は停止し、固定モーター６０の回転軸６１だけが回転するため、トレー２１は、左右側に直線往復運動だけをする第２モードにおいて駆動される。また、制御部８０により移動モーター５０と固定モーター６０を同時に駆動すると、トレー２１は、同時に回転する移動モーター５０と固定モーター６０の回転軸５１，６１により回転運動と同時に直線往復運動をする第３モードにおいて駆動される。
【００５０】
また、制御部８０は、移動モーター５０と固定モーター６０の回転速度をそれぞれ個別制御することができる。これは、トレー２１が第１モードや第２モードにおいて駆動される場合に、トレー２１の回転運動速度や直線往復運動速度を調節可能にするとともに、トレー２１が第３モードにおいて駆動される場合に、移動モーター５０と固定モーター６０との回転比を異ならせることによって、調理室２０の内部位置にしたがって異なる照射量で照射される高周波がトレー２１上の食べ物により均一に照射されるようにするためである。
【００５１】
次に、上記のように構成される本発明による電子レンジの動作及びその作用効果について説明する。
【００５２】
まず、図６を参照して、トレー２１が駆動装置により第１モードにおいて駆動される場合について説明する。このときに、制御部８０の制御により、固定モーター６０は停止状態にあり、移動モーター５０だけ駆動されるため、トレー２１は左右に直線往復運動せず元の位置で回転運動だけをする。したがって、トレー２１上部の他に、トレー２１左右両側の調理室２０底にも置かれた多量の食べ物によってトレー２１の直線往復運動が困難となる場合、トレー２１を上記の第１モードにおいて駆動させると、少なくともトレー２１上の食べ物は、トレー２１の回転運動によってより均一に調理されることになる。
【００５３】
次に、図７を参照して、トレー２１が駆動装置により、第２モードにおいて駆動される場合について説明する。このときには、制御部８０の制御により、移動モーター５０が停止した状態で固定モーター６０だけが駆動する。したがって、固定モーター６０の回転軸６１が回転し始まると、固定モーター６０の回転軸６１に結合された第２リンク７２が回転し、続いて第１リンク７１を介して第２リンク７２に連結されたスライディング部材９０が左右にスライディングしつつ移動モーター５０をスライディングさせ、これにより、移動モーター５０の回転軸５１に結合されたトレー２１が、案内穴４１の長手方向に沿って左右に直線往復運動するようになる。したがって、図７に示すように、トレー２１上に置かれた大きい体積の食べ物によってトレー２１が回転し難い場合、トレー２１の第２モードは、トレー２１上の大きい体積の食べ物を均一に調理させるのに好適である。
【００５４】
また、図８に示すように、食べ物の大きさや量が、トレー２１の回転及び直線往復運動を妨げない程度と適当な場合、駆動装置によりトレー２１が第３モードにおいて駆動されると、トレー２１は、同時に回転する移動モーター５０と固定モーター６０の回転軸５１，６１により回転しつつ案内穴４１に沿って調理室２０内部において左右に直線往復運動し、これにより、トレー２１上の食べ物は、第１モードと第２モードにおけるよりも均一に調理されるようになる。
【図面の簡単な説明】
【００５５】
【図１】本発明による電子レンジの全体的な構造を示す図であって、一部を分解して示す図である。
【図２】本発明による電子レンジの全体的な構造を示す断面図である。
【図３】本発明による電子レンジにおいて、駆動装置の構造を分解して示す斜視図である。
【図４】本発明による電子レンジにおいて、駆動装置のスライディング部材を支持部材に結合した状態を示す斜視図である。
【図５】本発明による電子レンジにおいて、駆動装置の構造を示す断面図である。
【図６】本発明による電子レンジにおいて、トレーが第１モードにおいて駆動される状態を示す断面図である。
【図７】本発明による電子レンジにおいて、トレーが第２モードにおいて駆動される状態を示す断面図である。
【図８】本発明による電子レンジにおいて、トレーが第３モードにおいて駆動される状態を示す断面図である。
【符号の説明】
【００５６】
１０    本体
１１    前面板
１２    後面板
１３    底板
１４    カバー
２０    調理室
２１    トレー
３０    電装室
３１    マグネトロン
３２    高圧トランス
３３    高圧コンデンサー
３４    冷却ファン
３５    支持板
４０    内部ケース
４１    案内穴
５０    移動モーター
５１    回転軸
５２    溶接部
６０    固定モーター
６１    回転軸
７０    リンク部材
７１    第１リンク
７２    第２リンク
７３    連結ピン
８０    制御部
９０    スライディング部材
９１    チョーク部
９２    チョーク溝
９３    貫通穴
９４    リンク連結部
１００  支持部材
１０１  結合部
１０２  レール部
【図１】
2006003065.tif 000003
【図２】
2006003065.tif 000004
【図３】
2006003065.tif 000005
【図４】
2006003065.tif 000006
【図５】
2006003065.tif 000007
【図６】
2006003065.tif 000008
【図７】
2006003065.tif 000009
【図８】
2006003065.tif 000010